(57)【要約】【課題】  内蔵の記録媒体への記録と外部記録装置の記録との対応を付けやすくする。【解決手段】  カメラ信号処理部１０３は撮像素子１０２による撮影画像データをＤＲＡＭ１１１に逐次書き込み、圧縮伸長部１０４はＤＲＡＭ１１１の画像データを動画圧縮する。ファイル名生成部１２０は記録媒体１１９に記録すべき動画像のファイル名を生成氏、ファイル名はクリップ番号を含む。記録再生部１１８は、生成されたファイル名で圧縮符号化部１０４による圧縮画像データを記録媒体１１９に記録する。出力部１０５は、ＤＲＡＭ１１１の画像データにクリップ番号を含む識別情報を重畳し、所定の映像信号形式で外部記録装置１５０に供給する。記録再生部１１８による記録動作と出力部１０５の出力動作は、カウンタ回路１１５の出力するカウント値により同期して実行される。【選択図】  図１
2016167788.tif 000002
【特許請求の範囲】
【請求項１】
動画像をそのクリップを単位に記録媒体に記録する動画像記録装置であって、
前記動画像を圧縮し、圧縮画像データを出力する圧縮手段と、
前記クリップを示すクリップ番号を含むファイル名を生成するファイル名生成手段と、
前記圧縮画像データを前記クリップごとに前記ファイル名生成手段により生成される前記ファイル名で前記記録媒体に記録する記録手段と、
前記動画像の画像データを、対応する前記クリップ番号を含む識別情報を重畳して外部に出力する出力手段
とを有することを特徴とする動画像記録装置。
【請求項２】
さらに、前記動画像のフレームに対応するカウント値を生成するカウンタ手段を有し、前記出力手段は、前記カウント値に従って、前記動画像の画像データを、対応する前記クリップ番号を含む情報を重畳して外部に出力することを特徴とする請求項１に記載の動画像記録装置。
【請求項３】
前記クリップの長さが時間で規定されていることを特徴とする請求項１または２に記載の動画像記録装置。
【請求項４】
前記クリップのサイズが、前記記録媒体のファイルシステム上の制限により規定されていることを特徴とする請求項１または２に記載の動画像記録装置。
【請求項５】
前記記録手段は、前記記録媒体とは異なる記録媒体に前記圧縮画像データをリレー記録することを特徴とする請求項１から４のいずれか１項に記載の動画像記録装置。
【請求項６】
前記出力手段が、前記記録手段による記録開始及び記録終了に同期して、それぞれを示す記録開始指示及び記録終了指示を出力することを特徴とする請求項１から５のいずれか１項に記載の動画像記録装置。
【発明の詳細な説明】
【技術分野】
【０００１】
本発明は、動画像を記録媒体に記録する動画像記録装置に関し、より具体的には、動画像を記録媒体に記録しつつ外部装置に出力する動画像記録装置に関する。
【背景技術】
【０００２】
従来、動画を撮影し、記録媒体に記録する動画像記録装置が知られている。撮影した動画像を記録媒体に記録しながら、外部の記録装置に出力して記録する撮像装置も知られている（特許文献１参照）。
【０００３】
近年では、記録媒体として大容量のメモリカードなどが用いられる。メモリカードに動画像を記録する場合、動画像は、ＦＡＴ等のファイルシステム上でファイルとして管理される。
【先行技術文献】
【特許文献】
【０００４】
【特許文献１】特開２００６−２６２１９４号公報
【発明の概要】
【発明が解決しようとする課題】
【０００５】
特許文献１に記載の構成では、動画像を内蔵の記録媒体に記録しながら、外部記録装置に出力して記録する場合に、同時記録される動画ファイルを対応づけていない。そのため、外部記録装置により記録された動画像のうち、動画像供給元の記録媒体に記録された動画ファイルに対応するファイルがどれかをユーザが判別するのは容易ではない。
【０００６】
本発明は、このような問題を解決する動画像記録装置を提示することを目的とする。
【課題を解決するための手段】
【０００７】
本発明に係る動画像記録装置は、動画像をそのクリップを単位に記録媒体に記録する動画像記録装置であって、前記動画像を圧縮し、圧縮画像データを出力する圧縮手段と、前記クリップを示すクリップ番号を含むファイル名を生成するファイル名生成手段と、前記圧縮画像データを前記クリップごとに前記ファイル名生成手段により生成される前記ファイル名で前記記録媒体に記録する記録手段と、前記動画像の画像データを、対応する前記クリップ番号を含む識別情報を重畳して外部に出力する出力手段とを有することを特徴とする。
【発明の効果】
【０００８】
本発明によれば、動画像記録装置で記録される動画像と外部で記録される動画像とを、クリップ番号を含む識別情報により対応付けやすくなる。
【図面の簡単な説明】
【０００９】
【図１】本発明の実施例１の概略構成ブロック図である。
【図２】動画像記録装置におけるクリップブレイク前後のフォルダ・ファイル構成例を示す模式図である。
【図３】外部記録装置におけるクリップブレイク前後のフォルダ・ファイル構成例を示す模式図である。
【図４】動画像記録装置における記録処理と画像・ショット番号出力処理のシーケンス図である。
【図５】動画像記録装置でクリップブレイク発生時の記録処理と画像・ショット番号出力処理のシーケンス図である。
【図６】動画像記録装置の記録処理のフローチャートである。
【図７】動画像記録装置の出力処理のフローチャートである。
【図８】外部記録装置の記録動作のフローチャートである。
【図９】モード設定画面例と情報表示画面例の模式図である。
【図１０】図９に示す情報表示画面に表示される情報の変遷例である。
【図１１】動画像記録装置の実施例２の概略構成ブロック図である。
【図１２】リレー記録における２つの記録媒体のフォルダ・ファイル構成例を示す模式図である。
【図１３】実施例２におけるリレー記録モードでの記録処理のシーケンス図である。
【図１４】リレー記録モードでの記録動作のフローチャートである。
【図１５】リレー記録モードでの画像・ショット番号出力処理のフローチャートである。
【図１６】実施例２におけるリレー記録モード設定画面例と情報表示画面例の模式図である。
【図１７】図１６に示す情報表示画面に表示される情報の変遷例である。
【発明を実施するための形態】
【００１０】
以下、図面を参照して、本発明の実施例を詳細に説明する。
【実施例１】
【００１１】
図１は、本発明に係る動画像記録装置と外部記録装置の概略構成ブロック図を示す。本実施例の動画像記録装置１００は、具体的には撮像装置からなり、撮影による動画像を内蔵の記録媒体１１９に記録すると同時に、外部記録装置１５０に供給する。外部記録装置１５０は動画像記録装置１００からの動画像を記録媒体１６１に記録する。
【００１２】
動画像記録装置１００の基本的な構成と機能を説明する。１０１はレンズユニットであり、集光のための固定レンズ群、変倍レンズ群、絞り、及び、変倍レンズ群の動きで移動した結像位置を補正する機能と焦点調節を行う機能とを兼ね備えた補正レンズ群により構成されている。レンズユニット１０１は、撮像素子１０２の結像面上に被写体像を入射する。
【００１３】
撮像素子１０２はＣＣＤ（charge coupled device）撮像素子等からなり、レンズユニット１０１による被写体の光学像を画像信号に変換する。１０３はカメラ信号処理部であり、撮像素子１０２からの画像信号に所定の処理を施してデジタル画像データを出力する。
【００１４】
圧縮伸長部１０４はカメラ信号処理部１０３により処理された画像データをＭＰＥＧ４方式で圧縮符号化し、圧縮画像データを生成する。圧縮伸長部１０４はまた、圧縮画像データを伸長する機能も具備する。ＭＰＥＧ４の圧縮は、ＧＯＰ（Group of Pitures）という符号化単位で行われるか、または画面内符号化のＩピクチャのみ（ＡＬＬ−Ｉ）で行われる。
【００１５】
１０５は、デジタルデータを外部に出力する出力部であり、本実施例では、カメラ信号処理部１０３による画像データを所定の映像信号形式（例えば、ＨＤＭＩ（登録商標）信号又はＳＤＩ信号）で外部に出力する。出力部１０５は、カメラ信号処理部１０３から出力される、動画像を構成する各画像データを非圧縮のＲＡＷデータとして出力できる。出力部１０５はまた、出力される映像信号と関連付けてタイムコード等のアンシラリー情報を重畳して出力できる。出力部１０５はさらに、動画像記録装置１００と連動して、動画像の記録を指示するＳＴＡＲＴ／ＳＴＯＰ情報及び動画像の識別情報（ファイル名の一部等）をアンシラリー情報として重畳できる。アンシラリー情報とは、映像信号のフレーム毎に存在するアンシラリー領域に重畳されるデータ群のことである。
【００１６】
１０６は、動画像記録装置１００の各ブロック間でデータ及び制御信号を伝送するバスである。操作部１０７はユーザが操作入力するためのものである。操作部１０７は、動画像の記録を指示するためのＳＴＡＲＴ／ＳＴＯＰボタン、設定を変更するためのメニューボタン、及びステータスを表示するためのステータスボタンなどを有する。
【００１７】
マイコン（マイクロコンピュータ）１０８は、動画像記録装置１００の全体を制御する。１０９はフラッシュＲＯＭなどのＲＯＭであり、マイコン１０８が実行するプログラムなどが格納されている。１１０はＲＡＭであり、マイコン１０８がワークメモリとして使用する揮発性メモリである。ＤＲＡＭ１１１は動画像記録装置１００の各ブロックが使用するＲＡＭである。ＤＲＡＭ１１１には、カメラ信号処理部１０３が現像した画像データ、並びに、圧縮伸長部１０４による圧縮で得られた圧縮画像データ及び圧縮画像データの伸長で得られた画像データが格納される。
【００１８】
カウンタ回路１１５は、動画像記録装置１００の動作基準となるカウント値を生成するシステムカウンタであり、出力部１０５が１フレーム出力する毎に、カウント値を１だけインクリメントするように調整されている。カウンタ回路１１５の出力カウント値は、出力部１０５が出力する映像データのフレーム番号と対応する。カウンタ回路１１５は例えば、所定範囲、例えば０〜１１９を循環的にカウントする循環カウンタである。
【００１９】
１１６はオンスクリーンディスプレイ（ＯＳＤ）機能を有し、表示部１１７の表示を制御する表示制御部であり、各種設定メニュー、タイトル及び時間などの情報を画像データに重畳できる。表示部１１７は液晶パネル等を有し、表示制御部１１６からの制御を受け、表示制御部１１６からの画像データを画像表示する。
【００２０】
記録再生部１１８は、ＤＲＡＭ１１１から圧縮画像データを読みだして記録媒体１１９に書き込む。記録媒体１１９は、メモリカードなどのランダムアクセス可能な記録媒体であり、動画像記録装置１００に着脱可能である。ファイル名生成部１２０は、記録媒体１１９に記録されるファイルのファイル名を生成する。マイコン１０８は、ファイル名生成部１２０で生成されたファイル名を出力部１０５から外部（ここでは外部記録装置１５０）にアンシラリーデータとして出力することも可能である。
【００２１】
動画像記録装置１００は、図示しないマイクにより入力された音声を撮像素子１０２により撮像された動画像に重畳して記録媒体１１９に記録でき、外部記録装置１５０での記録用に出力部１０５から外部記録装置１５０に供給する。
【００２２】
外部記録装置１５０の基本的な構成と機能を説明する。１５１は外部から種々の形式のデジタルデータを入力する入力部である。入力部１５１は、本実施例では、動画像記録装置１００から所定の形式の信号（例えば、ＨＤＭＩ信号又はＳＤＩ信号）を取り込む、出力部１０５と対応する手段である。入力部１５１は入力する映像データがＲＡＷデータか否かを判別でき、ＲＡＷデータの場合にはその旨をマイコン１５６に通知する。入力部１５１は、入力データにおいて映像データと音声データが重畳されている場合には映像データと音声データに分離できる。
【００２３】
現像部１５２は、非圧縮のＲＡＷ画像データからなる映像データを現像処理し、ＤＰＸ（Digital Picture Exchange）ファイルフォーマットに変換して出力することができる。入力部１５１により入力される映像データが非圧縮のＲＡＷデータの場合、現像部１５２は、現像処理された動画像データをＤＰＸ（Digital Picture Exchange）ファイルフォーマットに変換して出力する。現像処理後のファイルフォーマットはＤＰＸに限定されるものではなく、あくまで一例である。外部記録装置１５０の操作者は、入力部１５１により入力するデータがＲＡＷデータではない場合に、記録媒体１６１にどのような形式で記録するかを操作部１５５により選択できる。例えば、入力映像データを非圧縮のまま記録媒体１６１に記録するか、圧縮伸長部１６３により伸長した上で指定の形式に圧縮して記録媒体１６１に記録するかを、選択できる。
【００２４】
１５３はオンスクリーンディスプレイ（ＯＳＤ）機能を有し、表示部１５４の表示を制御する表示制御部であり、各種設定メニュー、タイトル及び時間などの情報を画像データに重畳できる。表示部１５４は液晶パネル等を有し、表示制御部１５３からの制御を受け、表示制御部１５３からの画像データを画像表示する。
【００２５】
操作部１５５はユーザが操作入力するためのものである。操作部１５５は、外部から入力される映像信号の記録を指示するためのＳＴＡＲＴ／ＳＴＯＰボタン、設定を変更するためのメニューボタン、及びステータスを表示するためのステータスボタンなどを有する。
【００２６】
マイコン（マイクロコンピュータ）１５６は、外部記録装置１５０の全体を制御する。１５７はフラッシュＲＯＭなどのＲＯＭであり、マイコン１５６が実行するプログラムなどが格納されている。１５８はＲＡＭであり、マイコン１５６がワークメモリとして使用する揮発性メモリである。ＤＲＡＭ１５９は外部記録装置１５０の各ブロックが使用するＲＡＭである。ＤＲＡＭ１５９には、入力部１５１により入力する映像信号、現像部１５２によりＲＡＷデータから現像された映像信号、並びに圧縮伸長部１６３による圧縮で得られた圧縮画像データ及び圧縮画像データの伸長で得られた画像データが格納される。
【００２７】
マイコン１５６は、入力部１５１からの入力信号のアンシラリー情報を解析し、ファイル名が重畳されている場合はその情報を記録媒体１６１に記録するファイル名の一部として使用する。タイムコード等がアンシラリー情報として重畳されている場合、マイコン１５６は、そのタイムコード等も、記録媒体１６１に記録するファイルに付加して記録する。
【００２８】
記録再生部１６０は、ＤＲＡＭ１５９から圧縮画像データを読みだして記録媒体１６１に書き込む。記録媒体１６１は、メモリカードなどのランダムアクセス可能な記録媒体であり、外部記録装置１５０に着脱可能である。
【００２９】
１６２は、デジタルデータを外部に出力する出力部であり、本実施例では、映像データを所定のデジタル映像信号形式（例えば、ＨＤＭＩ（登録商標）信号又はＳＤＩ信号）で外部に出力できる。出力部１６２は、入力部１５１による入力映像信号をそのまま外部に出力することもできる。
【００３０】
圧縮伸長部１０４は、動画像を構成する画像データをＭＰＥＧ４方式で圧縮符号化し、圧縮画像データを生成する。圧縮伸長部１０４はまた、圧縮画像データを伸長する機能も具備する。ＭＰＥＧ４の圧縮は、ＧＯＰ（Group of Pictures）という符号化単位で行われるか、または画面内符号化のＩピクチャのみ（ＡＬＬ−Ｉ）で行われる。圧縮伸長部１０４は、入力部１５１により入力される音声信号をＢＷＦ（Broadcast Wave Format）フォーマットに変換することもできる。
【００３１】
１６４は、外部記録装置１５０の各ブロック間でデータ及び制御信号を伝送するバスである。
【００３２】
外部記録装置１５０は、動画像記録装置１００から供給される画像・音声を以下に説明する方法で記録媒体１６１に記録できるが、音声に関する処理の説明は、実施例の特徴的な動作とは関係しないので、そのほとんどを省略してある。
【００３３】
動画像記録装置１００における記録動作を説明する。動画像記録装置１００は、操作部１０７による操作者の記録開始指示に従い、映像信号（音声を含む）の記録媒体１１９への記録を開始すると共に、映像信号（音声を含む）とアンシラリー情報の、出力部１０５から外部記録装置１５０への出力を開始する。動画像記録装置１００はまた、操作部１０７による操作者の記録停止指示に従い、記録媒体１１９への記録を終了すると共に、映像信号とアンシラリー情報の、出力部１０５から外部記録装置１５０への出力を停止する。
【００３４】
撮像素子１０２はレンズユニット１０１による光学像を画像信号に変換し、カメラ信号処理部１０３が撮像素子１０２からの画像信号を所定形式の画像データに変換してＤＲＡＭ１１１に書き込む。
【００３５】
ユーザが操作部１０７により記録開始指示をマイコン１０８に入力したとする。マイコン１０８は、この記録開始指示に従い、圧縮伸長部１０４にＤＲＡＭ１１１の画像データのＭＰＥＧ４形式での圧縮を指示する。この指示に従い、圧縮伸長部１０４は、ＤＲＡＭ１１１の画像データを逐次、ＭＰＥＧ４方式で圧縮符号化し、得られた圧縮画像データをＤＲＡＭ１１１に書き込む。記録再生部１１８が、ＤＲＡＭ１１１のＭＰＥＧ４の圧縮画像データを、ファイル名生成部１２０で生成されたファイル名で記録媒体１１９に書き込む。記録再生部１１８による記録媒体１１９への映像データの記録には、業務用ビデオカメラで一般的に使用されているコンテナフォーマットであるＭＸＦ（Material Exchange Format）を採用する。
【００３６】
一方、マイコン１０８は、記録開始指示に従い、出力部１０５にＤＲＡＭ１１１の画像データを読み込ませ、ＳＤＩまたはＨＤＭＩ規格に準拠した非圧縮の映像信号フォーマットに変換させる。マイコン１０８は、ファイル名生成部１２０により生成されたファイル名の一部であるショット番号（Ｓｈｏｔ  Ｎｕｍｂｅｒ）を出力部１０５に適時に供給する。出力部１０５は、マイコン１０８からのショット番号を外部記録装置１５０に出力する映像データにそのアンシラリー情報として重畳する。出力部１０５は、このようにアンシラリー情報を重畳した映像データを外部記録装置１５０に出力する。出力部１０５はまた、図示しない音声入力手段により入力された音声データも映像データと共に外部記録装置１５０に出力する。
【００３７】
この後、ユーザが操作部１０７により記録終了指示をマイコン１０８に入力したとする。マイコン１０８は、この記録終了指示に従い、圧縮伸長部１０４に画像データの圧縮の終了を指示し、圧縮伸長部１０４は、符号化単位であるＧＯＰの単位で（ＩピクチャのみのＡＬＬ−Ｉの場合には、圧縮終了指示のフレームで）圧縮符号化を終了する。記録再生部１１８は、ＤＲＡＭ１１１の圧縮画像データをすべて記録媒体１１９に書き込んで、記録動作を終了する。
【００３８】
記録終了指示に関わらず、マイコン１０８は、出力部１０５にＤＲＡＭ１１１の画像データの、ＳＤＩまたはＨＤＭＩ規格に準拠した非圧縮の映像信号フォーマットでの出力を継続させる。ただし、記録媒体１１９への記録は行っていないので、出力部１０５は、ファイル名生成部１２０により生成されたファイル名の代わりに無効値をアンシラリー情報として映像データに重畳して、出力する。
【００３９】
ファイル名生成部１２０により生成されるファイル名は、記録媒体１１９に採用されるファイルシステムに依存する。例えば、ファイルシステム"ｅｘＦＡＴ"の場合、
Ａ００１Ｃ００１＿１４１１２０ＸＸ＿ＡＢＣＤ．ＭＴＦ
のようになる。ここで、最初の１文字（バイト。以下、同様）（ここでは"Ａ"）がカメラＩＤを示す。続く３文字（ここでは"００１"）がリール番号を示す。続く４文字（ここでは"Ｃ００１"）がクリップ番号を示す。分離子であるアンダーバーを挟んで続く６文字（ここでは"１４１１２０"）が記録年月日を示す。続く２文字（ここでは"ＸＸ"）がランダムＩＤを示す。分離子であるアンダーバーを挟んで続く４文字（ここでは"ＡＢＣＤ"）がユーザ定義コード（一般的には、カメラメーカを表示する社名）を示す。ＭＴＦは拡張子である。６時間連続で記録を行った場合、クリップブレイクというファイル分割を行い、クリップ番号をインクリメントする。
【００４０】
また、ファイルシステム"ＦＡＴ３２"の場合、
Ａ００１Ｃ００１＿１４１１２０ＸＸ＿ＡＢＣＤ＿０１．ＭＴＦ
のようになる。ユーザ定義コードの後ろに分離子（アンダーバー）を挟んで２文字のストリーム番号が付くことがあるのが、ｅｘＦＡＴのケースとの相違である。ＦＡＴ３２ではファイルサイズが４ＧＢに制限されているので、長時間記録の場合、４ＧＢ毎にファイルが分割される。この分割の都度、ストリーム番号がカウントアップされる。これら分割されたファイルを、ストリーム番号により一体に認識できるようにしている。
【００４１】
カメラＩＤはＲＯＭ１０９に記憶されている。実際に記録されるカメラＩＤとリール番号は、操作者が操作部１０７を使って変更可能である。
【００４２】
クリップ番号は、記録媒体１１９に記録される動画像の個々のクリップを示す番号である。マイコン１０８（またはファイル名生成部１２０）が、記録媒体１１９に記録される動画像に対し、クリップごとにクリップ番号をその初期値からカウントアップする。クリップ番号の初期値はＲＯＭ１０９に記憶されているが、操作者は、操作部１０７によりクリップ番号の初期値を変更できる。クリップブレイクが発生すると、クリップ番号がカウントアップされ、新しいファイルで動画像のクリップが記録媒体１１９に記録される。クリップの長さは時間により規定される場合や、ファイルシステム上の制限により規定される場合がある。クリップブレイクは、シーンチェンジ、一定時間の経過、またはファイルシステムによる制約により、起こりうる。
【００４３】
マイコン１０８は、現在の日時情報を出力するタイマを具備し、この日時情報を参照して、記録日時データを生成し、ファイル名生成部１２０に供給する。もちろん、操作者は、操作部１０７により任意の日時を使用するようにマイコン１０８に指示できる。
【００４４】
ランダムＩＤは、他の撮像装置による動画ファイルとファイル名が可能な限り異なることになるようにするためにファイル名に組み入れられている。これにより、同じＰＣ（パーソナルコンピュータ）上で異なる撮像装置による動画像を監理または編集する場合にファイル名が衝突する可能性を低減でき、動画ファイルの上書き等の誤処理を軽減できる。
【００４５】
ユーザ定義コードの内容もまた、ＲＯＭ１０９に格納されているが、操作者が操作部１０７により任意の文字列を設定できる。
【００４６】
カメラＩＤ、リール番号及びクリップ番号からなる部分をショット番号とし、マイコン１０８は、このショット番号をアンシラリー情報として出力部１０５において映像データに重畳させる。
【００４７】
記録媒体１１９のファイルシステムとしてｅｘＦＡＴが使用されている場合、マイコン１０８は、連続して所定時間、例えば６時間の動画像を記録媒体１１９に記録する毎に、記録中のファイルを分割する。ｅｘＦＡＴでは、ファイルサイズの上限が記録媒体１１９の記録容量よりも遙かに大きいので、通常の使用状態では、ファイルサイズの上限に達する前に記録媒体１１９の残量が無くなる。しかし、一つの動画ファイルのサイズがあまりに大きくなると、その取り扱いが不便になることも考えられる。これらを勘案して、本実施例では、所定の記録時間に達する毎にファイルを分割する。
【００４８】
図２は、記録媒体１１９に動画像を記録するフォルダとファイルの配置例を示す。図２（ａ）は、フォルダ／ファイルの基本構成を示し、図２（ｂ）は、クリップブレイク発生後のフォルダ／ファイル構成を示す。
【００４９】
図２（ａ）に示すように、記録媒体１１９のルートの下にＣＯＮＴＥＮＴＳフォルダが作成され、その下にＣＬＩＰＳ００１フォルダが作成される。ＣＬＩＰＳ００１フォルダには先ず、動画像記録装置１００のメニュー設定に関連する情報を管理するファイルＩＮＤＥＸ．ＭＩＦが格納される。そして、１つのクリップに対して、ＭＸＦファイル、ＸＭＬ（Extensible Markup Language）ファイル、及びＣＰＦ（Custom Picture File）ファイルが収容される。ＭＸＦファイルは、動画像データ及び音声データを収容するファイルである。ＸＭＬファイルは、クリップに関する情報をＸＭＬ形式で収容するファイルである。ＣＰＦファイルは、動画像記録装置１００のカメラ信号処理に関係する設定値を収容するファイルである。
【００５０】
動画像の記録の継続によりクリップブレイクが発生すると、図２（ｂ）に示すように、最初のクリップに関するファイルがクローズされ、新たなクリップに対するファイルがオープンされる。新たなクリップに対するファイルのファイル名は、そのクリップ番号のみがインクリメントされている。クリップブレイクの前後でマイコン１０８の指示によりファイル名生成部１２０が、クリップ番号のみをインクリメントしたファイル名を生成する。出力部１０５は、インクリメントされたクリップ番号を含むショット番号を映像データに重畳して外部記録装置１５０に出力する。重畳のタイミングは、後述する。
【００５１】
外部記録装置１５０における記録動作を説明する。ここでは、動画像記録装置１００は出力部１０５から外部記録装置１５０にＲＡＷ画像データからなる映像信号と、操作部１０７による記録開始指示と記録終了指示の通知を含むアンシラリー情報が供給されているとする。
【００５２】
入力部１５１は、動画像記録装置１００の出力部１０５からの映像信号の各ＲＡＷ画像データをＤＲＡＭ１５９に書き込み、アンシラリー情報をマイコン１５６に供給する。マイコン１５６は、入力部１５１からのアンシラリー情報中に記録開始指示通知を検出すると、これ以後、入力部１５１により入力されるＤＲＡＭ１５９のＲＡＷ画像データを現像部１５２により現像処理させる。現像部１５２は、現像処理された画像データをＤＰＸファイルに変換して出力する。マイコン１５６は、入力部１５１からのアンシラリー情報中のショット番号に、ＤＰＸファイルごとにインクリメントされるシリアル番号を付加してＤＰＸファイルに対するファイル名を生成し、記録再生部１６０に通知する。記録再生部１６０は、現像部１５２からのＤＰＸファイルを、マイコン１５６から通知されるファイル名で記録媒体１６１に書き込む。
【００５３】
マイコン１５６は、入力部１５１からのアンシラリー情報中に記録終了指示通知を検出すると、現像部１５２に現像処理を終了させる。ただし、現像部１５２は、現像していた画像データを現像終了に適したタイミングで現像処理を実際に終了する。記録再生部１６０は、現像部１５２からのＤＰＸファイルを記録媒体１６１に記録し終えると、記録媒体１６１の関係するファイルをクローズする。
【００５４】
外部記録装置１５０における記録開始を、操作部１５５を使った操作者による記録開始指示に従ってもよい。同様に、外部記録装置１５０における記録終了を、操作部１５５を使った操作者による記録終了指示に従ってもよい。例えば、動画像記録装置１００からのアンシラリー情報に含まれる記録開始指示通知により記録を開始し、操作部１５５を使った操作者による記録終了指示により記録を終了しても良い。
【００５５】
図３は、記録媒体１６１におけるフォルダとファイルの配置例を示す。図３（ａ）は、フォルダ／ファイルの基本構成を示し、図３（ｂ）は、クリップブレイク発生後のフォルダ／ファイル構成を示す。
【００５６】
図３（ａ）に示すように、マイコン１５６は、記録媒体１６１のルートの下に、記録日時を示すフォルダ（図示例では、２０１４１１２０＿１フォルダ）を生成する。記録再生部１６０は、この２０１４１１２０＿１フォルダの中に、図３（ａ）に示すように、外部記録装置１５０のフォルダ・ファイル構成に関連する情報を終了するファイルＩＮＤＥＸ．ＭＩＦが格納される。そして、動画像データが記録されている１以上のＤＰＸファイルと、音声データが記録されているＢＷＦ（Broadcast Wave Format）ファイルが格納される。なお、音声の記録については、本発明の用紙とは関係しないので、詳細な説明は省略している。なお、本実施形態では、所定フレーム数の動画データを一つのＤＰＸファイルに格納する構成とするが、１フレームを一つのＤＰＸファイルとして記録する構成としてもよい。
【００５７】
クリップブレイクが発生すると、動画像記録装置１００の出力部１０５から入力部１５１に供給されるアンシラリー情報のショット番号のクリップ番号が、クリップブレイク前の値からインクリメントされている。図３に示す例では、ショット番号は、Ａ００１Ｃ００１からＡ００１Ｃ００２に切り替わる。マイコン１５６は、インクリメントされたクリップ番号のショット番号を使ってＤＰＸファイルに対するファイル名を生成し、記録再生部１６０に通知する。記録再生部１６０は、図３（ｂ）に示すように、現像部１５２からのＤＰＸファイルを、マイコン１５６から通知される新たなショット番号のファイル名で記録媒体１６１に書き込む。
【００５８】
動画像記録装置１００及び外部記録装置１５０の上述した記録動作は、カウンタ回路１１５で生成されるカウンタに基づき、互いに同期して実行される。図４は、動画像記録装置１００及び外部記録装置１５０の記録動作のタイミング例を示す。図４（１）はカウンタ回路１１５のカウント値を示す。図４（２）は、カメラ信号処理部１０３から出力されＤＲＡＭ１１１に書き込まれるフレーム画像を示す。図４（３）は、圧縮伸長部１０４が圧縮のためにＤＲＡＭ１１１から読み込むフレーム画像を示す。図４（４）は、記録媒体１１９に記録されるファイルのファイル名を示す。図４（５）は、出力部１０５から出力されるフレーム画像を示す。図４（６）は、出力部１０５から出力されるショット番号を示す。
【００５９】
カウンタ回路１１５は、例えば、０〜１１９の範囲を循環的にカウントする。カメラ信号処理部１０３は、図４（２）に示すように、カウンタ回路１１５の出力カウント値に応じて、撮像素子１０２から出力される画像信号を所定形式の画像データに変換し、ＤＲＡＭ１１１に書き込む。
【００６０】
カウンタ回路１１５がカウントアップすると、図４（３）に示すように、圧縮伸長部１０４が、ＤＲＡＭ１１１からフレーム画像データを読み込み、圧縮符号化する。マイコン１０８は、圧縮伸長部１０４による圧縮を開始するフレームを任意に指定できる。例えば、フレーム３から圧縮を開始したい場合、マイコン１０８は、カウンタ回路１１５のカウント値が２の期間に圧縮伸長部１０４に圧縮開始を指示する。圧縮伸長部１０４は、この圧縮開始の指示に応じて、カウンタ回路１１５の出力カウント値がカウントアップしたタイミング（カウント値が３になるタイミング）で圧縮処理を開始する。これにより、圧縮伸長部１０４は、図４（３）に示すように、フレーム３から圧縮を開始する。ファイル名生成部１２０は圧縮処理の開始前にファイル名を確定し、図４（４）に示すように、フレーム３以降の動画像が、確定されたファイル名で記録媒体１１９に記録される。ファイル名生成部１２０は、確定したファイル名（又はそのショット番号）を出力部１０５に通知する。
【００６１】
圧縮伸長部１０４の圧縮処理と並行に、出力部１０５が、図４（５）に示すように、カウンタ回路１１５のカウント値に同期して、フレーム画像データを外部に出力する。出力部１０５はまた、図４（６）に示すように、ファイル名生成部１２０により確定したファイル名のショット番号を、記録媒体１１９へのファイル記録と同期して外部に出力する。ショット番号は、記録媒体１１９へのファイル記録開始の直前のタイミング（図４では、カウント値が２のタイミング）で出力部１０５に設定される。これにより、出力部１０５は、フレーム３以降のフレームの画像データにショット番号を重畳できる。
【００６２】
記録終了時には、次のように動作する。図４に示す例では、圧縮伸長部１０４がフレーム１２４２を圧縮処理している間に、操作者が操作部１０７により記録終了指示をマイコン１０８に入力している。マイコン１０８は、この記録終了指示に従い、圧縮伸長部１０４に圧縮処理の終了を指示する。圧縮伸長部１０４は、図４（３）に示すように、マイコン１０８からの圧縮終了の指示に従い、適切なフレーム（図４ではフレーム１２４４）で、カウンタ回路１１５のカウント値の更新に同期して圧縮処理を終了する。なお、圧縮伸長部１０４は１５フレームを一つのＧＯＰとして符号化することが可能であり、このときには、圧縮伸長部１０４は、圧縮終了の指示に対して１５の整数倍のフレームを単位として圧縮処理を終了する。全てＩピクチャであるＡＬＬ−Ｉで動画像を圧縮する場合には、このような制約は無く、圧縮伸長部１０４は、圧縮終了の指示に対してフレームの単位で圧縮処理を終了する。
【００６３】
記録再生部１１８は、図４（４）に示すように、圧縮伸長部１０４で圧縮された最後のフレーム（フレーム１２４４）を記録媒体１１９に記録して記録を終了し、関係するファイルをクローズする。記録再生部１１８による記録の終了は実質的に、カウンタ回路１１５のカウント値の更新に同期している。
【００６４】
マイコン１０８は、圧縮伸長部１０４の圧縮停止（又は記録媒体１１９への記録の終了）のタイミングでショット番号の出力を停止するように出力部１０５に指示する。出力部１０５は、図４（５）に示すように、操作者の記録終了指示とは無関係に画像データを出力し続ける。しかし、出力部１０５は、図４（６）に示すように、マイコン１０８からの指示に従い、記録媒体１１９への記録終了に対するカウンタ回路１１５のカウントアップのタイミングで、ショット番号の出力を終了する。
【００６５】
記録媒体１１９に記録すべき動画像でクリップブレイクが発生したときの動作を説明する。図５は、その動作タイミング例を示す。図５に示す例では、カウンタ回路１１５のカウント値が１０３から１０４に変化するタイミングで、クリックブレイクにより記録媒体１１９に記録されるファイルが更新される。図５（１）はカウンタ回路１１５のカウント値を示す。図５（２）は、カメラ信号処理部１０３から出力されＤＲＡＭ１１１に書き込まれるフレーム画像を示す。図５（３）は、圧縮伸長部１０４が圧縮のためにＤＲＡＭ１１１から読み込むフレーム画像を示す。図５（４）は、記録媒体１１９に記録されるファイルのファイル名を示す。図５（５）は、出力部１０５から出力されるフレーム画像を示す。図５（６）は、出力部１０５から出力されるショット番号を示す。
【００６６】
カメラ信号処理部１０３は、図５（２）に示すように、カウンタ回路１１５の出力カウント値に応じて、撮像素子１０２から出力される画像信号を所定形式の画像データに変換し、ＤＲＡＭ１１１に書き込む。
【００６７】
カウンタ回路１１５がカウントアップすると、図５（３）に示すように、圧縮伸長部１０４が、ＤＲＡＭ１１１からフレーム画像データを読み込み、圧縮符号化する。クリックブレイクに対して、圧縮伸長部１０４は、クリックブレイク直後のフレームに対して圧縮処理をリスタートする。図５に示す例では、フレーム１０３とフレーム１０４の間でクリックブレイクが発生しているので、マイコン１０８は、カウンタ回路１１５のカウント値が１０３の期間に、圧縮伸長部１０４に圧縮処理のリスタートを指示する。圧縮伸長部１０４は、この圧縮リスタートの指示に応じて、カウンタ回路１１５の出力カウント値がカウントアップしたタイミング（カウント値が１０４になるタイミング）で圧縮処理をリスタートする。クリックブレイクの発生前に、マイコン１０８はファイル名生成部１２０に指示して、クリックブレイク後のファイル名を生成させる。フレーム１０３までのファイルがクローズされ、フレーム１０４以降の動画像が、図５（４）に示すように、記録媒体１１９に新たなファイル名で記録される。ファイル名生成部１２０は、更新したファイル名（又はそのショット番号）を出力部１０５に通知する。
【００６８】
圧縮伸長部１０４の圧縮処理と並行に、出力部１０５が、図５（５）に示すように、カウンタ回路１１５のカウント値に同期して、フレーム画像データを外部に出力する。出力部１０５はまた、図５（６）に示すように、ファイル名生成部１２０により確定したファイル名のショット番号を、記録媒体１１９へのファイル記録と同期して外部に出力する。出力部１０５から出力されるショット番号は、記録媒体１１９に記録されるファイルの、クリックブレイクによる更新に対応して、更新される。
【００６９】
このような処理により、記録媒体１１９に記録されるフレーム画像のショット番号と、出力部１０５から外部に出力される動画像のアンシラリー情報に重畳されるショット番号との位相を合わせることができる。
【００７０】
図６、図７及び図８を参照して、記録媒体１１９への記録動作、出力部１０５の出力処理及び外部記録装置１５０の記録処理の動作を説明する。なお、記録モードは４Ｋ記録であり、出力部１０５は、記録開始／記録停止指示情報とショット番号を含むアンシラリー情報を４Ｋ画像のＲＡＷデータに重畳してＳＤＩ端子から出力するとする。この設定の情報はＲＡＭ１１０に保持されており、マイコン１０８が各部に事前に設定している。
【００７１】
図６は、記録媒体１１９への記録動作の処理シーケンス例を示すフローチャートである。図６を参照して、動画像記録装置１００が、カウンタ回路１１５に合わせて記録媒体１１９への記録を開始し、記録中にクリップブレイクし、記録を終了するまでの本実施例の処理例を説明する。
【００７２】
ステップＳ６０１では、マイコン１０８は、操作部１０７により記録開始指示が入力されたかどうかを判断する。記録開始要求があったら、マイコン１０８は、ステップＳ６０２に進む。
【００７３】
ステップＳ６０２で、マイコン１０８は、記録媒体１１９への記録を開始するフレームのカウント値を決定し、そのカウント値を出力部１０５に通知する。ステップＳ６０３で、記録開始カウント値の決定方法は、１０の倍数など特定の値から開始する方法でも、操作部１０７から記録開始指示を受けたタイミングにより決定する方法でも、どちらでもよい。
【００７４】
ステップＳ６０３で、マイコン１０８は、記録媒体１１９に記録されるファイル名をファイル名生成部１２０に生成させ、ステップＳ６０４に進む。先に説明したように、ファイル名はショット番号を含む。
【００７５】
ステップＳ６０４で、マイコン１０８は、カウンタ回路１１５により生成されたカウント値が記録開始カウント値になったかどうかを判断する。記録開始カウント値になったら、マイコン１０８は、ステップＳ６０５に進む。
【００７６】
ステップＳ６０５で、マイコン１０８は、記録再生部１１８に指示して、圧縮伸長部１０４により圧縮された圧縮画像データを収容するためのファイルをファイル名生成部１２０により生成されたファイル名で記録媒体１１９に生成させる。その後、ステップＳ６０６で、マイコン１０８は、圧縮伸長部１０４に１フレームを圧縮させ、得られた圧縮画像データを記録再生部１１８により記録媒体１１９に記録させる。
【００７７】
ステップＳ６０７で、マイコン１０８が、クリックブレイクの必要性、例えば、記録開始から６時間経過したかどうかを判断する。マイコン１０８は、クリップブレイクが必要になければ、ステップＳ６０７を繰り返し、クリップブレイクが必要なら、ステップＳ６０８に進む。
【００７８】
ステップＳ６０８で、マイコン１０８は、クリップブレイクするフレームのカウント値を決定し、出力部１０５に通知する。ステップＳ６０９で、マイコン１０８は、ファイル名生成部１２０によりクリップブレイク後のファイルに付けるファイル名を決定させ、出力部１０５にファイル名に含まれるショット番号を通知する。出力部１０５は、先に説明したように、クリップブレイクするフレーム画像と同じフレーム画像が出力部１０５から出力されるタイミングに合わせてショット番号をアンシラリー情報として重畳して出力する。
【００７９】
ステップＳ６１０で、マイコン１０８は、カウンタ回路１１５により生成されたカウント値がクリップブレイクのカウント値になったか否かを判断する。クリップブレイクのカウント値になったら、マイコン１０８は、ステップＳ６１２へ進む。クリップブレイクするカウント値になっていない場合、マイコン１０８は、ステップＳ６１１に進む。ステップＳ６１１で、マイコン１０８は、圧縮伸長部１０４に圧縮を指示して１フレームを圧縮処理させ、ステップＳ６１０に進む。
【００８０】
ステップＳ６１２で、マイコン１０８は、クリップブレイク前のファイルに対してファイルをクローズするように記録再生部１１８に指示し、記録再生部１１８は、記録媒体１１９への書き込み処理を行い、ファイルをクローズする。その後、マイコン１０８は、ステップＳ６１３に進む。
【００８１】
ステップＳ６１３では、マイコン１０８は、ステップＳ６０９で決定したファイル名を使用してファイルを作成するように記録再生部１１８に指示し、記録再生部１１８は、記録媒体１１９にファイルをオープンする。その後、マイコン１０８は、ステップＳ６１４へ進む。
【００８２】
ステップＳ６１４で、マイコン１０８は、圧縮伸長部１０４に圧縮を指示して１フレーを圧縮処理させ、ステップＳ６１５に進む。
【００８３】
ステップＳ６１５で、マイコン１０８は、操作部１０７により記録停止指令が入力されたか否かを判断する。記録停止指令が入力した場合、マイコン１０８はステップＳ６１６に進み、記録停止指令が入力していない場合、マイコン１０８はステップＳ６１４に進む。
【００８４】
ステップＳ６１６で、マイコン１０８は、記録開始から現在までに圧縮された画像データのフレーム数を圧縮伸長部１０４から取得し、ＧＯＰの長さの倍数になっているか否かを判断し、記録を終了すべきフレームのカウント値を決定する。ＡＬＬ−Ｉ記録の場合、マイコン１０８は、ＧＯＰの長さの倍数になっているかは気にせずに記録を終了すべきカウント値を決定できる。マイコン１０８は、決定したカウント値（記録終了カウント値）を出力部１０５に通知し、ステップＳ６１７に進む。
【００８５】
ステップＳ６１７で、マイコン１０８は、カウンタ回路１１５により生成されたカウント値が記録終了カウント値に到達したかどうかを判断する。記録終了カウント値に到達した場合、マイコン１０８はステップＳ６１９に進み、記録終了カウント値に到達していない場合、マイコン１０８はステップＳ６１８に進む。ステップＳ６１８で、マイコン１０８は、圧縮伸長部１０４に圧縮を指示して１フレーを圧縮処理させ、ステップＳ６１７に進む。
【００８６】
ステップＳ６１９で、マイコン１０８は、記録を終えたファイルのクローズを記録再生部１１８に指示し、記録再生部１１８は、この指示に従い記録媒体１１９への書き込み処理を終了しファイルをクローズする。マイコン１０８は、圧縮伸長部１０４を記録待機状態に遷移させる。
【００８７】
図７は、図６に対応する、出力部１０５の出力動作の処理シーケンス例のフローチャートを示す。図７を参照して、出力部１０５の、記録媒体１１９への記録動作に同期する、画像データとアンシラリー情報の出力処理を説明する。
【００８８】
ステップＳ７０１で、マイコン１０８は、ＤＲＡＭ１１１から画像データを読み出して出力部１０５に供給し、出力部１０５は、そのＳＤＩ端子から４Ｋ画像のＲＡＷデータをディベイヤー処理無しで、即ちベイヤー配列に対応した画素配置の状態で出力する。ここでは、ＳＤＩ端子から４Ｋ出力を行う場合、ＳＭＰＴＥ  ＳＴ  ４２５の３Ｇ−ＳＤＩとＳＭＰＴＥ  ＳＴ  ３７２のＤｕａｌＬｉｎｋという規格に準拠して４Ｋ画像のＲＡＷデータをベイヤー出力する場合を例に動作を説明する。
【００８９】
ステップＳ７０２で、マイコン１０８は、動画像記録装置１００に記録媒体１１９が装填されているかどうか、そして、装填されている記録媒体が記録可能かどうかの情報を記録再生部１１８から取得する。記録媒体１１９が装填されていないか、装填されている記録媒体が記録可能でない場合、マイコン１０８はステップＳ７０１に戻る。
【００９０】
ステップＳ７０３で、マイコン１０８は、ステップＳ６０２で決定される記録開始カウント値を取得し、ステップＳ７０４に進む。
【００９１】
ステップＳ７０４で、マイコン１０８は、カウンタ回路１１５のカウント値が記録開始カウント値に到達したかどうかを判別する。記録開始カウント値に到達した場合、マイコン１０８はステップＳ７０５に進み、記録開始カウント値に到達していない場合、マイコン１０８はステップＳ７０１に戻る。
【００９２】
ステップＳ７０５で、マイコン１０８は、記録媒体１１９に記録されるべきファイルのファイル名からショット番号を取得し、ステップＳ７０６に進む。ステップＳ７０６で、マイコン１０８は、ステップＳ７０５で取得したショット番号を出力部１０５に供給し、ステップＳ７０７に進む。
【００９３】
ステップＳ７０７で、マイコン１０８は、ＤＲＡＭ１１１から画像データを読み出して出力部１０５に供給し、出力部１０５は、そのＳＤＩ端子から４Ｋ画像のＲＡＷデータにショット番号を重畳してベイヤー出力し、ステップＳ７０８に進む。ステップＳ７０８で、マイコン１０８は、ステップＳ６０８で決定したクリップブレイクのカウント値を取得し、ステップＳ７０９に進む。
【００９４】
ステップＳ７０９で、マイコン１０８は、カウンタ回路１１５のカウント値がステップＳ７０８で取得したクリックブレイクのカウント値に到達したかどうかを判別する。クリックブレイクのカウント値に到達した場合、マイコン１０８はステップＳ７１０に進み、到達しない場合、マイコン１０８はステップＳ７０７に戻る。
【００９５】
ステップＳ７１０で、マイコン１０８は、クリップブレイク後に使用するファイル名（ステップＳ６０９）からショット番号を取得し、ステップＳ７１１に進む。ステップＳ７１１で、マイコン１０８は、ステップＳ７１０で取得したクリップブレイク後のショット番号を出力部１０５に供給し、出力部１０５にアンシラリー情報を更新させ、ステップＳ７１２に進む。
【００９６】
ステップＳ７１２で、ステップＳ７０７と同様に、マイコン１０８は、ＤＲＡＭ１１１から画像データ（４Ｋ画像のＲＡＷデータ）を読み出して出力部１０５に供給し、出力部１０５は画像データにショット番号を重畳してベイヤー出力する。この後、マイコン１０８は、ステップＳ７１３に進む。出力部１０５は、図示しない音声入力手段により入力された音声データも、画像データ及びショット番号と同様に外部に出力する。ステップＳ７１３で、マイコン１０８は、ステップＳ７０６で決定された記録媒体１１９への記録を停止するフレームのカウント値（記録停止カウント値）を取得し、ステップＳ７１４に進む。
【００９７】
ステップＳ７１４で、マイコン１０８は、カウンタ回路１１５のカウント値が記録停止カウント値に到達したかどうかを判別する。記録停止カウント値に到達した場合、マイコン１０８はステップＳ７１５に進み、到達しない場合、マイコン１０８はステップＳ７１２に戻る。
【００９８】
ステップＳ７１５で、マイコン１０８は、記録再生部１１８に問い合わせて記録媒体１１９への記録終了を確認した上でショット番号を未確定とし、ステップＳ７１６に進む。ステップＳ７１６で、マイコン１０８は、ショット番号（未確定：Ｎｏ  Ｉｎｆｏｒｍａｔｉｏｎ）を出力部１０５に供給し、出力部１０５はこのショット番号と記録停止を通知する情報とを含むアンシラリー情報を画像データに重畳して出力する。ステップＳ７１６の後、マイコン１０８は、図７に示す処理を終了する。
【００９９】
図８は、外部記録装置１５０における記録動作例のフローチャートを示す。外部記録装置１５０は予め、外部からの入力信号を記録できるモードに設定され、入力部１５１は、アンシラリー情報に含まれる記録開始／記録停止指示情報とショット番号を判別するように設定されているとする。このための設定情報は、ＲＡＭ１５８に保持されている。外部記録装置１５０の記録開始又は記録停止を操作者が操作部１５５によりマイコン１５６に指示してもよいが、以下では、動画像記録装置１００の記録開始と記録終了にそれぞれ同期させる例を説明する。
【０１００】
ステップＳ８０１で、マイコン１５６は、入力部１５１に映像信号の同期信号が入力しているか否かを判別する。外部からの映像同期信号が検出された場合、マイコン１５６はステップＳ８０２に進み、そうでない場合、ステップＳ８０１を繰り返す。すなわち、外部記録装置１５０は、映像信号入力を待機する。
【０１０１】
ステップＳ８０２で、マイコン１５６は、入力部１５１の入力信号からアンシラリー情報を取得し、ステップＳ８０３に進む。ここでは、アンシラリー情報は、ショット番号、記録開始／記録停止通知情報及びタイムコード等を含む。
【０１０２】
ステップＳ８０３で、マイコン１５６は、入力部１５１からのアンシラリー情報に記録開始通知を示す情報が重畳されているかを判別する。記録開始通知の情報が重畳されている場合、マイコン１５６は、ステップＳ８０４に進み、そうでない場合、マイコン１５６はステップＳ８０３に戻り、記録開始通知の情報の入力を待つ。
【０１０３】
ステップＳ８０４で、マイコン１５６は、入力部１５１からのアンシラリー情報の中にショット番号が含まれているか否かを判別する。ショット番号が含まれる場合、マイコン１５６はステップＳ８０５に進み、含まれない場合、マイコン１５６はステップＳ８０６に進む。
【０１０４】
ステップＳ８０５で、マイコン１５６は、入力部１５１の入力信号からショット番号を取得し、記録再生部１６０にショット番号を含んだファイル名を通知する。
【０１０５】
ステップＳ８０６で、マイコン１５６は、入力部１５１の入力信号から映像信号と音声信号を分離し、映像信号を現像部１５２に、音声信号を圧縮伸長部１６３にそれぞれ供給し、ステップＳ８０７に進む。ステップＳ８０７で、現像部１５２は、ステップＳ８０６で入力された映像信号のＲＡＷデータにディベイヤー処理を行ってＲＧＢ画像データに変換し、ＤＰＸファイル等の一般的なファイルフォーマットでＤＲＡＭ１５９に書き込む。
【０１０６】
ステップＳ８０７に続くステップＳ８０８で、マイコン１５６は、ＤＲＡＭ１５９のＤＰＸファイルを記録媒体１６１に書きむように記録再生部１６０に指示する。ステップＳ８０５でショット番号が取得できている場合、記録再生部１６０は、図３（ｂ）のクリックブレイク前の例のように、ショット番号（Ａ００１Ｃ００１）を含むファイル名でＤＰＸファイルを記録媒体１６１に書き込む。クリックブレイクが起きた後では、記録再生部１６０は、図３（ｂ）のクリックブレイク後の例のように、更新されたショット番号（Ａ００１Ｃ００２）を含むファイル名のＤＰＸファイルを記録媒体１６１に書き込む。音声データもＷＡＶファイルとしてＤＰＸファイルと同様、記録媒体１６１に書き込まれる。
【０１０７】
ステップＳ８０９で、マイコン１５６は、ステップＳ８０８で書き込まれたＤＰＸファイルをクローズするように記録再生部１６０に指示し、記録再生部１６０はクローズ処理を実行する。本実施例では、フレーム毎に４Ｋ画像のＤＰＸファイルが生成されるので、１フレーム毎にＤＰＸファイルのクローズ処理が必要となる。
【０１０８】
ステップＳ８１０で、マイコン１５６は、入力部１５１のアンシラリー情報に記録停止通知が含まれるかどうかを判断する。記録停止通知が含まれない場合、マイコン１５６は、ステップＳ８０４に戻る。記録停止通知が含まれる場合、ステップＳ８１１で、マイコン１５６は、ＤＰＸファイル、ＷＡＶファイル及び管理ファイル等の関連するファイルをクローズするように記録再生部１６０に指示し、記録再生部１６０は指示されたクローズ処理を実行する。これにより、マイコン１５６は、図８に示す処理を終了する。
【０１０９】
図９（ａ）は、動画像記録装置１００の記録モードの設定画面例を示す。図９（ｂ）は、動画像記録装置１００の外部出力モードの設定画面例を示す。図９（ｃ）は、外部記録装置１５０への出力中の情報表示画面例を示す。図１０は、図９（ｃ）に示す情報表示画面において各段階で表示される情報例を示す。
【０１１０】
図９（ａ）に示す設定画面９０２では、４Ｋ画像を３０ｐ（秒３０フレームのプログレッシブ）、全フレームをＩピクチャで記録する記録モードが選択されている。３０ｐの代わりに、２４ｐを選択可能である。図９（ｂ）に示す設定画面９０４では、４ＫのＲＡＷ画像を３０ｐで出力する外部出力モードが選択されている。外部出力モードでも、３０ｐの代わりに２４ｐが選択可能であり、オフ（出力なし）も選択可能である。
【０１１１】
図９及び図１０を参照して、動画像記録装置１００の記録モードと外部出力モードの設定、並びに、記録開始からクリックブレイクを介して記録停止に至るまでの動作での表示情報の変遷を説明する。操作者は操作部１０７を使ってマイコン１０８に図９（ａ）、（ｂ）に示す設定画面９０２，９０４を表示部１１７に表示させ、それぞれ所望の記録モード及び外部出力モードを設定する。
【０１１２】
図９（ｃ）に例示する情報表示画面は動画像記録装置１００の動作中に表示部１１７に表示される。表示欄９０６には、記録媒体１１９の残記録時間が表示される。表示欄９０８には、記録媒体１１９への記録待機（「スタンバイ」（ＳＴＡＮＢＹ）または「記録中」（●  ＲＥＣ））が表示される。表示欄９１０には、記録媒体１１９に記録された動画のタイムコードが表示される。表示欄９１２には、記録スタンバイまたは記録中の動画のショット番号、または出力モードが表示される。表示欄９１４には、出力部１０５から出力されている映像信号のショット番号（ＳＮ）が表示される。
【０１１３】
スタンバイ状態で、表示欄９０６〜９１４は、例えば、図１０の例１に示す表示内容または状態になっているとする。表示欄９１４の「非表示」は、表示欄９１４自体が画面に表示されないことを示す。
【０１１４】
図１０の例１に示す状態から記録開始し、１分経過したときには、例えば、図１０の例２に示す表示内容になる。残記録時間（表示欄９０６）が１分、減少し、表示欄９０８は記録中を示す「●  ＲＥＣ」」となる。タイムコードを示す表示欄９１０は、１分の経過を示している。
【０１１５】
図１０の例３は、記録時間が６時間１０分経過した状態の表示例になっている。残記録時間（表示欄９０６）が例１の値から６時間１０分、減少している。表示欄９０８は、記録中を示す「●  ＲＥＣ」」のままである。表示欄９１０のタイムコードは、６時間１０分の経過を示している。先に説明したように、６時間相当の記録でクリップブレイクが発生するので、ショット番号を示す表示欄９１２は、当初の「Ａ００１Ｃ００１」から「Ａ００１Ｃ００２」に切り替わっている。
【０１１６】
図１０の例４は、図１０の例３の状態から２０分、記録を行った後に記録停止した結果を示す。残記録時間（表示欄９０６）が、例３の値からさらに２０分、減少している。表示欄９０８は、記録待機を示す「ＳＴＡＮＢＹ」に変わる。表示欄９１０のタイムコードは、例３のときより２０分、経過している。記録停止によりクリップ番号がインクリメントされ、その結果、表示欄９１２は、「Ａ００１Ｃ００３」になる。
【０１１７】
図１０の例５〜例８は、動画像記録装置１００での記録と外部記録装置１５０への出力が行われる場合の表示例を示す。ここでは、外部記録装置１５０への出力モードは、「４Ｋ  ３０ｐ  ＲＡＷ」モードに設定されている。
【０１１８】
図１０の例５は、例１に対応する状態であり、表示欄９０６には、残記録時間３１１００分が表示され、表示欄９０８には記録待機を示す「ＳＴＡＮＢＹ」が表示されている。表示欄９１０には、記録を開始していないのでタイムコード「００：００：００：００」が表示され、表示欄９１２には、出力モード「４Ｋ  ３０ｐ  ＲＡＷ」が表示されている。動画像記録装置１００での記録が開始されていないので、ショット番号は、検知できないか、出力部１０５から出力されていない状態にある。この時、表示欄９１４には、このような状態を示すバー表示「ＳＮ：-------」になる。
【０１１９】
図１０の例６は、例５に示す状態で記録開始して、１分、経過したときの表示内容を示す。残記録時間（表示欄９０６）が１分、減少し、表示欄９０８は記録中を示す「●  ＲＥＣ」」となる。タイムコードを示す表示欄９１０は、１分の経過を示し、表示欄９１２には、出力モード「４Ｋ  ３０ｐ  ＲＡＷ」が表示されている。表示欄９１４には、出力部１０５から出力されるアンシラリー情報に含まれるショット番号「ＳＮ：Ａ００１Ｃ００１」が表示される。
【０１２０】
図１０の例７は、記録時間が６時間１０分経過した状態の表示例になっている。残記録時間（表示欄９０６）が例５の値から６時間１０分、減少している。表示欄９１０のタイムコードは、６時間１０分の経過を示している。先に説明したように、６時間相当の記録でクリップブレイクが発生するので、ショット番号を示す表示欄９１４は、例６における「ＳＮ：Ａ００１Ｃ００１」から「ＳＮ：Ａ００１Ｃ００２」に切り替わっている。
【０１２１】
図１０の例８は、図１０の例７の状態から２０分、記録を行った後に記録停止した結果を示す。残記録時間（表示欄９０６）が、例７の値からさらに２０分、減少している。表示欄９０８は、記録待機を示す「ＳＴＡＮＢＹ」に変わる。表示欄９１０のタイムコードは、例３のときより２０分、経過している。記録停止によりクリップ番号がインクリメントされるが、出力部１０５は記録停止によりアンシラリー情報の出力を停止しているので、表示欄９１４の表示は、「ＳＮ：-------」になる。
【０１２２】
以上のように、本実施例によれば、動画像記録装置１００と外部記録装置１５０が、同じ動画像を記録する際に、互いに関連付けることができる。これにより、例えば、記録された動画像をさらに別の装置、たとえばコンピュータに転送死して編集等を行う場合にも、所望の動画像を容易に発見することができる。
【実施例２】
【０１２３】
図１１は、本発明に係る動画像記録装置の実施例２の概略構成ブロック図を示す。図１に示す実施例と同じ構成要素には同じ符号を付してある。
【０１２４】
図１１に示す動画像記録装置１１００は、動画像記録装置１００に対して記録再生部１１１８と記録媒体１１１９が追加されている。記録再生部１１１８は、ＤＲＡＭ１１１の圧縮画像データを記録媒体１１１９に書き込むことができる。記録媒体１１１９は、動画像記録装置１１００に着脱可能である。
【０１２５】
マイコン１１０８は、マイコン１０８の機能に加えて、記録媒体１１９、１１１９間でのリレー記録を制御する機能を具備する。リレー記録は記録中に記録先の記録媒体を変更して記録動作を継続する動作をいう。これにより、単体の記録媒体の容量に制限されずに、より長時間の記録が可能になる。
【０１２６】
記録媒体１１９から記録媒体１１１９に記録をリレーするリレー記録の例を、図１２に示す。図１２（ａ）は記録媒体１１９のフォルダ／ファイル構成例（リレー前）を示し、図１２（ｂ）は、記録媒体１１１９のフォルダ／ファイル構成例（リレー後）を示す。マイコン１１０８は、図１２（ａ）に示すように、あるクリップのファイルを記録媒体１１９に記録する。記録媒体１１９に空きが無くなるか記録継続のための余裕が無くなると、マイコン１１０８は、記録先を記録媒体１１１９に切り替え、記録媒体１１９のファイルをクローズし、クリップ番号をインクリメントして、記録先を１１１９に切り替える。これにより、記録媒体１１９に直前に記録されたクリップに続くクリップのファイルが、図１２（ｂ）に示すように、インクリメントされたクリップ番号を含むファイル名で記録媒体１１１９に記録される。
【０１２７】
記録媒体１１９、１１１９への記録と、インクリメントされたクリップ番号を含むショット番号の出力部１０５による出力との同期は、実施例１と同様である。この動作を図１３に示すタイミング図を参照して、説明する。
【０１２８】
図１３に示す例では、カウンタ回路１１５のカウント値が１０３から１０４に変化するタイミングで、リレー記録による記録先の変更が行われる。図１３（１）はカウンタ回路１１５のカウント値を示す。図１３（２）は、カメラ信号処理部１０３から出力されＤＲＡＭ１１１に書き込まれるフレーム画像を示す。図１３（３）は、圧縮伸長部１０４が圧縮のためにＤＲＡＭ１１１から読み込むフレーム画像を示す。図１３（４）は、記録媒体１１９に記録されるファイルのファイル名を示す。図１３（５）は、記録媒体１１１９に記録されるファイルのファイル名を示す。図１３（６）は、出力部１０５から出力されるフレーム画像を示す。図１３（７）は、出力部１０５から出力されるショット番号を示す。
【０１２９】
記録先の変更はファイルの切り替えでもあるので、圧縮伸長部１０４による圧縮の単位（例えば、ＧＯＰの単位）に合わせる必要がある。マイコン１１０８は、このタイミングを考慮して、圧縮伸長部１０４の圧縮動作及び記録再生部１１８、１１１９による記録ファイルの切り替えを制御する。
【０１３０】
カメラ信号処理部１０３は、図１３（２）に示すように、カウンタ回路１１５の出力カウント値に応じて、撮像素子１０２から出力される画像信号を所定形式の画像データに変換し、ＤＲＡＭ１１１に書き込む。
【０１３１】
カウンタ回路１１５がカウントアップすると、図１３（３）に示すように、圧縮伸長部１０４が、ＤＲＡＭ１１１からフレーム画像データを読み込み、圧縮符号化する。リレー記録に対して、圧縮伸長部１０４は、記録先の切り替え後のフレームに対して圧縮処理をリスタートする。図１３に示す例では、フレーム１０３とフレーム１０４の間でリレー記録（記録先の切り替え）が発生しているので、マイコン１０８は、カウンタ回路１１５のカウント値が１０３の期間に、圧縮伸長部１０４に圧縮処理のリスタートを指示する。圧縮伸長部１０４は、この圧縮リスタートの指示に応じて、カウンタ回路１１５の出力カウント値がカウントアップしたタイミング（カウント値が１０４になるタイミング）で圧縮処理をリスタートする。記録先の切り替え直前に、マイコン１０８はファイル名生成部１２０に指示して、記録先の切り替え後のファイル名を生成させる。フレーム１０３までの記録媒体１１９へのファイルが図１３（４）に示すようにクローズされ、フレーム１０４以降の動画像が、図１３（５）に示すように、記録媒体１１１９に新たなファイル名で記録される。ファイル名生成部１２０は、更新したファイル名（又はそのショット番号）を出力部１０５に通知する。
【０１３２】
圧縮伸長部１０４の圧縮処理と並行に、出力部１０５が、図１３（６）に示すように、カウンタ回路１１５のカウント値に同期して、フレーム画像データを外部に出力する。出力部１０５はまた、図１３（７）に示すように、ファイル名生成部１２０により確定したファイル名のショット番号を、記録媒体１１９，１１１９へのファイル記録と同期して外部に出力する。出力部１０５から出力されるショット番号は、記録先（記録媒体１１９，１１１９）の切り替えに応じて更新される。
【０１３３】
図１４及び図１５を参照して、記録媒体１１９，１１１９への記録動作及び出力部１０５の出力処理の動作を説明する。なお、記録モードは４Ｋ記録であり、出力部１０５は、記録開始／記録停止指示情報とショット番号を含むアンシラリー情報を４Ｋ画像のＲＡＷデータに重畳してＳＤＩ端子から出力するとする。この設定及びリレー記録有効の設定の情報はＲＡＭ１１０に保持されており、マイコン１１０８が各部に事前に設定している。
【０１３４】
図１４は、記録媒体１１９、１１１９へのリレー記録動作の処理シーケンス例を示すフローチャートである。図１４を参照して、動画像記録装置１１００が、カウンタ回路１１５に合わせて記録媒体１１９への記録からリレー記録により記録媒体１１１９への記録に切り替える動作を説明する。
【０１３５】
リレー記録は必然的にクリップの切り替え、すなわちファイルの切り替えを伴うことから、基本的には、図６に示す処理と類似している。
【０１３６】
図１４のステップＳ１４０１〜ステップＳ１４０６の処理は、図６のステップＳ６０１〜ステップＳ６０６の処理と同じであるので、説明を省略する。
【０１３７】
ステップＳ１４０７で、マイコン１１０８は、クリックブレイク（ステップＳ６０７）に代えて、リレー記録の要否を判定する。ステップＳ１４０８で、マイコン１１０８は、リレー記録による記録媒体の切り替えを行なうべきフレームに対応するカウンタ回路１１５のカウント値（リレー記録カウント値）を決定し、出力部１０５に通知する。
【０１３８】
ステップＳ１４１０で、マイコン１１０８は、カウンタ回路１１５のカウント値がリレー記録カウント値に到達したかどうかを判別し、到達するまでステップＳ１４１１で１フレーム記録を繰り返す。ステップＳ１４１０でカウンタ回路１１５のカウント値がリレー記録カウント値に到達すると、ステップＳ１４１２で、マイコン１１０８は、記録先を記録媒体１１９から記録媒体１１１９に切り替える。
【０１３９】
以後のステップＳ１４１３〜Ｓ１４２０の処理は、図６のステップＳ６１２〜Ｓ６１９の処理と同じであるので、説明を省略する。
【０１４０】
図１５は、図１４に対応する、出力部１０５の出力動作の処理シーケンス例のフローチャートを示す。図１５を参照して、リレー記録動作に同期する、出力部１０５の画像データとアンシラリー情報の出力処理を説明する。クリックブレイクをリレー記録に対応させることを除いては、図７に示すフロート同様である。
【０１４１】
ステップＳ１５０８で、マイコン１１０８は、ステップＳ１４０８で決定したリレー記録カウント値をクリックブレイクカウント値の代わりに取得する。ステップＳ１５０９で、マイコン１１０８は、カウンタ回路１１５のカウント値がステップＳ１５０８で取得したリレー記録カウント値に到達したかどうかを判別する。これら以外の、ステップＳ１５０１〜Ｓ１５０７，Ｓ１５１０〜S１５１６の処理は、図７のステップＳ７０１〜Ｓ７０７，Ｓ７１０〜Ｓ７１６の処理と同じである。
【０１４２】
図１６（ａ）はリレー記録の設定画面例を示し、図１６（ｂ）は、リレー記録で表示される情報表示画面例を示す。マイコン１１０８は、表示部１１７に撮影画像に重ねて、図１６（ａ）に示すような設定画面１６０２を表示する。操作者は操作部１０７を使って、リレー記録のオン／オフを設定する。
【０１４３】
マイコン１１０８は、図１６（ｂ）に例示する情報表示画面を動画像記録装置１００の動作中に表示部１１７に表示する。表示欄１６０４には、記録媒体ごと残記録時間、すなわち記録媒体１１９，１１１９の残記録時間が表示される。表示欄１６０６には、記録媒体１１９，１１１９のうちの記録先に指定されている方への記録待機（「スタンバイ」（ＳＴＡＮＢＹ）または「記録中」（●  ＲＥＣ））が表示される。表示欄１６０８には、記録された動画のタイムコードが表示される。表示欄１６１０には、記録スタンバイまたは記録中の動画のショット番号が表示される。
【０１４４】
図１７は、動画像記録装置１１００の各段階で表示欄１６０４〜１６１０に表示される情報例を示す。スタンバイ状態で、表示欄１６０４〜１６１０は、例えば、図１７の例１に示す表示内容または状態になっているとする。ここでは、記録媒体１１９（媒体１）の残記録時間が６０分で、記録媒体１１１９（媒体２）の残記録時間が３６００分であるとしている。記録媒体１１９，１１１９のうち、記録先に指定されている方の左側に、記録先を示す三角マークが表示される。
【０１４５】
図１７の例１に示す状態から記録開始し、１分経過したときには、例えば、図１７の例２に示す表示内容になる。記録媒体１１９（媒体１）の残記録時間が１分、減少して５９分になるが、記録媒体１１１９（媒体２）の残記録時間はそのままの３６００分である（表示欄１６０４）。媒体１の左側には記録先を示す三角マークが表示される。表示欄１６０６は、記録中を示す「●  ＲＥＣ」」となり、タイムコードを示す表示欄１６０８は、１分の経過を示している。ショット番号を示す表示欄１６１０は、例１のそれと変わらず、「Ａ００１Ｃ００１」のままである。
【０１４６】
図１７の例３は、記録時間が１時間１０分経過した状態の表示例になっている。表示欄１６０４で、記録媒体１１９（媒体１）の残記録時間が無いこと（「ＥＮＤ」）が表示され、記録媒体１１１９（媒体２）の残記録時間が例１、２から１０分、減少している。媒体２の左側には記録先を示す三角マークが表示される。表示欄１６０６は、記録中を示す「●  ＲＥＣ」」のままである。表示欄１６０８のタイムコードは、１時間１０分の経過を示している。記録先の切り替えによりクリップ番号がインクリメントされるので、ショット番号を示す表示欄１６１０は、当初の「Ａ００１Ｃ００１」から「Ａ００１Ｃ００２」に切り替わっている。
【０１４７】
図１７の例４は、図１７の例３の状態から２０分、記録を行った後に記録停止した結果を示す。表示欄１６０４で、記録媒体１１９（媒体１）の残記録時間が無いこと（「ＥＮＤ」）が表示され、記録媒体１１１９（媒体２）の残記録時間が例３から２０分、減少している。表示欄１６０８のタイムコードは、１時間３０分の経過を示している。記録停止によりクリップ番号がインクリメントされ、その結果、表示欄１６１０は、「Ａ００１Ｃ００３」になる。
【０１４８】
このように、リレー記録の場合もクリップブレイクの場合と同様に、動画像記録装置１１００での動画記録と、外部記録装置１５０での動画記録をショット番号により関連付けることができる。これにより、他装置上での編集などのために所望の動画を発見しやすくなり、編集などを迅速に実行できるようになる。
【０１４９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【０１５０】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【０１５１】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１５２】
その場合、プログラムの機能を有していれば、オブジェクトコード、インタプリタにより実行されるプログラム、ＯＳに供給するスクリプトデータ等、プログラムの形態を問わない。
【０１５３】
プログラムを供給するための記録媒体としては、例えば、ハードディスク、磁気テープ等の磁気記録媒体、光／光磁気記憶媒体、不揮発性の半導体メモリでもよい。
【０１５４】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2016167788.tif 000003
【図２】
2016167788.tif 000004
【図３】
2016167788.tif 000005
【図４】
2016167788.tif 000006
【図５】
2016167788.tif 000007
【図６】
2016167788.tif 000008
【図７】
2016167788.tif 000009
【図８】
2016167788.tif 000010
【図９】
2016167788.tif 000011
【図１０】
2016167788.tif 000012
【図１１】
2016167788.tif 000013
【図１２】
2016167788.tif 000014
【図１３】
2016167788.tif 000015
【図１４】
2016167788.tif 000016
【図１５】
2016167788.tif 000017
【図１６】
2016167788.tif 000018
【図１７】
2016167788.tif 000019